(57)【要約】【課題】  裏面パネルの上部をネジ止めせずに収納棚のがたつきを抑えるとともに、収納棚が下降位置にあるときでも裏面パネルを簡単に取外せるようにする。【解決手段】  キッチン用フロアキャビネット１のカウンター１ａの一部に形成した昇降用開口５内に配置される収納棚２と、この収納棚２をカウンター下の収納空間１４に下降させるとともに、カウンター上に上昇させる昇降機構６とを備えた昇降式収納装置において、前記収納棚２には、裏面に裏面パネル１１が取付けられているとともに、裏面パネル１１の上部を下方からの抜き差しが可能となるように係止する係止部９が設けられている。【選択図】  図８
2006296602.tif 000002
【特許請求の範囲】
【請求項１】
キッチン用フロアキャビネットのカウンターの一部に形成した昇降用開口内に配置される収納棚と、この収納棚をカウンター下の収納空間に下降させるとともに、カウンター上に上昇させる昇降機構とを備えた昇降式収納装置において、
前記収納棚には、裏面に裏面パネルが取付けられているとともに、裏面パネルの上部を下方からの抜き差しが可能となるように係止する係止部が設けられていることを特徴とする昇降式収納装置。
【請求項２】
前記係止部は、前記収納棚の裏面から後方に延在してさらに左右の両端部が外側に広がる形状に形成されており、前記裏面パネルの上部には、前記係止部に下方から嵌り込み可能な形状の係止溝が形成されていることを特徴とする請求項１に記載の昇降式収納装置。
【請求項３】
前記収納棚には、前記裏面パネルの下側に当該裏面パネルが載置可能な載置部が設けられていることを特徴とする請求項１または２に記載の昇降式収納装置。
【発明の詳細な説明】
【技術分野】
【０００１】
本発明は、キッチン用フロアキャビネットに設けられる昇降式収納装置に関する。
【背景技術】
【０００２】
一般に、キッチン用フロアキャビネットは、カウンター下に収納部を設けているから、収納物（皿、鍋、調味料等）を出し入れするには、調理作業等を一旦中断して屈んだ状態で収納部から収納物を出し入れする必要があった。
【０００３】
このため、フロアキャビネット上方の天袋に収納部を設けて、収納物を出し入れする際に、収納部を引き下ろせるようにしたものがある（特許文献１、２参照）。
【０００４】
しかしながら、特許文献１、２のような昇降式収納装置は、収納部を引き下ろした時でも、収納部の上段に収納物を出し入れしにくいという問題があった。
【０００５】
また、キッチンとダイニングとの間に壁面が無いオープン型の対面キッチンにおいては、設置すべき壁面が無いので、昇降式収納装置を設置しづらいという問題があった。
【０００６】
そこで、本出願人は、オープン型の対面キッチンに好適で、収納物を出し入れしやすくするために、キッチン用フロアキャビネットのカウンターの一部に形成した昇降用開口内に配置される収納棚（水切り棚）と、この収納棚をカウンター下の収納空間に下降させるとともに、カウンター上に上昇させる昇降機構とを備えた昇降式収納装置を提案した。
【特許文献１】特開２０００−３１６６４３号公報
【特許文献２】特開２００１−１４９２９７号公報
【発明の開示】
【発明が解決しようとする課題】
【０００７】
本出願人の提案に係る昇降式収納装置においては、収納棚の裏面に裏面パネルが取付けられ、この裏面パネルで収納棚の後側が覆われるようになっている。この裏面パネルを収納棚に固定するには、周囲をネジ止めすることが考えられるが、このようにすると収納棚が下降位置にあるときに、裏面パネルの上部が昇降用開口の周縁部に重なり合うため、裏面パネルの上部の固定ネジを外すことは難しい。
【０００８】
一方、裏面パネルの上部のネジ止めをしないようにすると、裏面パネルががたついてしまう。
【０００９】
そこで、裏面パネルの上部をネジ止めせずに収納棚のがたつきを抑えるようにして、収納棚が下降位置にあるときでも裏面パネルを簡単に取外せるようにしたいという要望があった。
【００１０】
本発明は、前記要望に応えるためになされたもので、裏面パネルの上部をネジ止めせずに収納棚のがたつきを抑えるとともに、収納棚が下降位置にあるときでも裏面パネルを簡単に取外せるようにした昇降式収納装置を提供することを目的とする。
【課題を解決するための手段】
【００１１】
前記課題を解決するために、本発明は、キッチン用フロアキャビネットのカウンターの一部に形成した昇降用開口内に配置される収納棚と、この収納棚をカウンター下の収納空間に下降させるとともに、カウンター上に上昇させる昇降機構とを備えた昇降式収納装置において、前記収納棚には、裏面に裏面パネルが取付けられているとともに、裏面パネルの上部を下方からの抜き差しが可能となるように係止する係止部が設けられていることを特徴とするものである。
【００１２】
省スペースで裏面パネルの上部を下方に抜き差し可能とするために、前記係止部は、前記収納棚の裏面から後方に延在してさらに左右の両端部が外側に広がる形状に形成されており、前記裏面パネルの上部には、前記係止部に下方から嵌り込み可能な形状の係止溝が形成されていることが好ましい。
【００１３】
裏面パネルを脱落させることなく裏面パネルの着脱作業を行うために、前記収納棚には、前記裏面パネルの下側に当該裏面パネルが載置可能な載置部が設けられていることが好ましい。
【発明の効果】
【００１４】
本発明によれば、収納棚に裏面パネルの上部を下方からの抜き差しが可能となるように係止する係止部を設けたから、裏面パネルの上部をネジ止めしなくても裏面パネルのがたつきを防ぐことができる。しかも、裏面パネルを収納棚から取外す際には、裏面パネルを下方に引き抜くだけで係止状態を解除することができ、収納棚が下降位置にあっても簡単に裏面パネルを取外すことができる。逆に、裏面パネルを収納棚に取付ける際には、裏面パネルの上部を下方から係止部に差し込めばよい。
【発明を実施するための最良の形態】
【００１５】
以下、本発明を実施するための最良の形態について、図面を参照しながら詳細に説明する。
【００１６】
図１および図２はキッチン用フロアキャビネット１であって、図１は収納棚（水切り棚）２が下降位置（不使用時）Ｄの斜視図、図２は収納棚２が上昇位置（使用時）Ｕの斜視図である。前記フロアキャビネット１は、キッチンとダイニング・リビングとの間に壁面が無いオープン型の対面キッチンを想定しているが、オープン型の対面キッチンでなくても可能である。
【００１７】
前記フロアキャビネット１の上面はカウンター１ａで構成されており、このカウンター１ａの右側位置にシンク３が設けられ、シンク３の後方位置に収納棚２が配置されている。なお、シンク３の側方位置に収納棚２を配置することもできる。ここで、左右や前後の方向の表現は、キッチン側でシンク３の前に立ってダイニング・リビング側を向いた者が見た状態としている。
【００１８】
前記収納棚２は、フロアキャビネット１のカウンター１ａに形成された昇降用開口５（図４参照）内に配置されて、この収納棚２は、後述する昇降機構６によって、カウンター下の収納空間１４（図４参照）に下降させる下降位置Ｄと、カウンター上に上昇させる上昇位置Ｕとに昇降されるようになる。図２のように、前記昇降用開口５は、横長四角枠状のカバー枠８で覆われている。
【００１９】
前記収納棚２の内部には、上下２段で食器類の水切り部２ａ，２ｂが設けられているとともに、収納棚２の上面は天板カウンター４で構成されている。
【００２０】
前記天板カウンター４は、図１のように、下降位置Ｄでは、カバー枠８とともに昇降用開口５を覆ってフロアキャビネット１のカウンター１ａの上面と僅かの隙間を隔てて対向し、カウンターの一部を構成することになるから、この天板カウンター４の上をカウンタースペース（作業スペース）として利用することができる。
【００２１】
この天板カウンター４の右側前面位置には、収納棚２を昇降操作するための操作パネル７が取付けられている。この操作パネル７には、図３に示すように、上昇スイッチ７ａ、停止スイッチ７ｂ、下降スイッチ７ｃ、ロックスイッチ７ｄが設けられるとともに、点灯または点滅することにより各種の状態を報知するＬＥＤ７ｅ，７ｆが設けられている。
【００２２】
図７（ａ）は、天板カウンター４を省略した収納棚２の斜視図である。前記収納棚２は、横長長方形状の上部フレーム２Ａと下部フレーム２Ｂと、縦長長方形状の左側部フレーム２Ｃと右側部フレーム２Ｄとで横長四角枠状に溶接等で一体的に組み立てられていて、下部フレーム２Ｂの下部に水受けトレー１０（図５参照）を取付けている。
【００２３】
前記収納棚２の裏面、すなわち前記上部フレーム２Ａと下部フレーム２Ｂと左側部フレーム２Ｃと右側部フレーム２Ｄとの後面（ダイニング・リビング側）には裏面パネル１１が取付けられていて、当該裏面パネル１１によって各フレーム２Ａ〜２Ｄで形成される後側の開口が塞がれているとともに、左側部フレーム２Ｃと右側部フレーム２Ｄ、および上部フレーム２Ａには、化粧板１２ａ〜１２ｃがそれぞれ取付けられている。なお、裏面パネル１１については後で詳細に説明する。
【００２４】
また、上部フレーム２Ａに取付けられた化粧板１２ｃには、換気ファン３５が設けられている。この換気ファン３５は、収納棚２が下降位置Ｄにあるときに、収納空間１４内の空気を外部に排出するためのものであり、当該換気ファン３５には、湿度を検出する湿度センサー（図示せず）が取付けられていて、湿度が所定値以上になったときに駆動するようになっている。
【００２５】
図４〜図６に示すように、前記昇降用開口５に対応するフロアキャビネット１の内部には、下降位置Ｄの収納棚２を収納する収納空間１４が設けられ、この収納空間１４は、左右の側板１４Ａ，１４Ｂと底板１４Ｃとで下方から略Ｕ字状に囲まれ、上方に開口している。そして、左右の側板１４Ａ，１４Ｂの内面の上端部同士はシンク側およびダイニング側で前後一対のフレーム１４Ｆによって連結されている。すなわち、左右の側壁１４Ａ，１４Ｂの上端部およびフレーム１４Ｆが前記昇降用開口５の周縁部となっている。
【００２６】
また、キッチン側のフレーム１４Ｆの下方に形成される開口は背板１４Ｄで閉じられているとともに、ダイニング側のフレーム１４Ｆの下方に形成される開口は点検用扉１４Ｅで開閉可能に閉じられている。
【００２７】
前記収納空間１４内には、収納棚２の昇降機構６等が収納されている。すなわち、前記収納空間１４の左右の側板１４Ａ，１４Ｂの内面には、上下方向に延在して、奥行き方向に一対のガイドレール１５がそれぞれ固定され、この一対のガイドレール１５の間に位置する左右の側板１４Ａ，１４Ｂの内面には、ガイドレール１５の上端部と下端部とに対応して、上プーリ１６Ａと下プーリ１６Ｂとがそれぞれ固定されている。
【００２８】
前記収納棚２の左側部フレーム２Ｃと右側部フレーム２Ｄとの下部には、図７（ｂ）に示すように、Ｈ字状のブラケット１７がそれぞれ固定され、各ブラケット１７には、前記対応するガイドレール１５に上下摺動可能に嵌り込む合成樹脂製のシュー１８がそれぞれ取付けられている。
【００２９】
そして、前記ブラケット１７のシュー１８がガイドレール１５で上下摺動するようにガイドされることにより、収納棚２がカウンター下の下降位置Ｄと、カウンター上の上昇位置Ｕとに昇降動されるようになる。
【００３０】
前記収納空間１４の底板１４Ｃの左右方向のほぼ中央位置には、電動モータ２０と、この電動モータ２０でチェーン２１ａを介して駆動される２個のドラム２１Ａ，２１Ｂとが設置されて、一方のドラム２１Ａには、左側のベルト２２Ａが下方から巻き付けられて内端部が係止されるとともに、他方のドラム２１Ｂには、右側のベルト２２Ｂが上方から巻き付けられて内端部が係止されている。
【００３１】
前記左側のベルト２２Ａは、左の側板１４Ａの下プーリ１６Ｂと上プーリ１６Ａとに順に掛け回されて、その外端部が前記収納棚２の左側部フレーム２Ｃのブラケット１７に係止されるとともに、前記右側のベルト２２Ｂは、右の側板１４Ｂの下プーリ１６Ｂと上プーリ１６Ａとに順に掛け回されて、その外端部が前記収納棚２の右側部フレーム２Ｄのブラケット１７に係止されるようになる。
【００３２】
したがって、前記操作パネル７の上昇スイッチ７ａを押圧操作することで、電動モータ２０が正転すると、各ドラム２１Ａ，２１Ｂが図５において矢印ａ回りに駆動されて、左右のベルト２２Ａ，２２Ｂが各ドラム２１Ａ，２１Ｂに巻き取られることで、収納棚２の左右のブラケット１７が左右のベルト２２Ａ，２２Ｂで引っ張り上げられながらガイドレール１５でガイドされて上昇することにより、収納棚２がカウンター上の上昇位置Ｕに上昇されるようになる。前記収納棚２が上昇位置Ｕまで上昇されると、電動モータ２０が停止して、逆転しないようにブレーキが掛けられるとともに、上昇スイッチ７ａをさらに押圧操作しても電動モータ２０が正転されないように制御される。
【００３３】
前記操作パネル７の下降スイッチ７ｃを押圧操作することで、電動モータ２０のブレーキが解除されて、収納棚２の左右のブラケット１７がガイドレール１５でガイドされて、収納棚２が自重で下降することにより、収納棚２がカウンター下の下降位置Ｄに下降されるようになる。なお、図５において、１７´は、下降位置Ｄのブラケットを示している。
【００３４】
この場合、電動モータ２０を逆転させながら左右のベルト２２Ａ，２２Ｂを各ドラム２１Ａ，２１Ｂから巻き戻すようになるが、この電動モータ２０の逆転は、収納棚２が自重で急激に下降しないようにブレーキを掛けるように設定されている。なお、下降スイッチ７ｃを押圧操作すると、収納棚２がカウンター下の下降位置Ｄに自動下降されるが、下降位置Ｄの手前（例えば５０ｍｍ程度）までは、自動下降するが、それ以上の下降は、下降スイッチ７ｃを押圧操作し続けなければ下降しないようにすれば（いわゆる２段押し）、安全性を高めることができる。
【００３５】
また、前記操作パネル７の停止スイッチ７ｂを押圧操作すると、電動モータ２０が停止して、収納棚２を上昇途中位置または下降途中位置でストップさせることができる。
【００３６】
さらに、操作パネル７のロックスイッチ７ｄを設定した時間（例えば３秒間）押圧操作し続けると、上側のＬＥＤ７ｅが点灯してロック状態となり、各スイッチ７ａ〜７ｃを押圧操作してもその操作は無効となる。逆に、ＬＥＤ７ｅが点灯した状態で、ロックスイッチ７ｄを設定時間押圧操作し続けると、ＬＥＤ７ｅが消灯してロック状態が解除される。
【００３７】
また、収納棚２の昇降操作の異常や過積載等は、上側のＬＥＤ７ｅの点滅により報知されるとともに図略のブザーによって警報されるようになっている。
【００３８】
前記各スイッチ７ａ〜７ｄおよびＬＥＤ７ｅ，７ｆは、前記収納空間１４の底板１４Ｃの上に取付けられた制御ボックス３２（図４参照）の制御回路に接続されている。なお、前記電動モータ２０も、前記制御ボックス３２の制御回路に接続されている。
【００３９】
一方、図４および図５に示すように、前記収納棚２の水受けトレー１０の底部は、中央部が下向きに窪むように形成されて、この底部の中央部には排水口１０ａが設けられている。この排水口１０ａにフレキシブルな排水パイプ２５の一端２５ａが連結されるとともに、この排水パイプ２５の他端２５ｂは、前記収納空間１４の背板１４Ｄの内壁面に取付けた水受けマス２６の上部位置に連結されている。
【００４０】
前記水受けマス２６は、上部が開口した四角箱状であり、この水受けマス２６の下部にはＵ字状の排水トラップ２７の入口端が連結されるとともに、この排水トラップ２７の出口端には排水管２８が連結されている。この排水管２８は、前記収納空間１４の底板１４Ｃの開口１４ａから下水配管等（図示せず。）に連結されている。
【００４１】
さらに、前記収納空間１４の背板１４Ｄの内壁面に取付けた水受けマス２６とほぼ同じ高さ位置に、傾斜させた水受け樋３０が背板１４Ｄの内壁面に水密状態で取付けられて、この水受け樋３０の傾斜下側は、水受けマス２６の上部位置に連結されている。この水受け樋３０は、前記昇降用開口５の前側のほぼ真下に位置させている。
【００４２】
なお、図示は省略するが、前記排水トラップ２７には、水位センサーが設けられており、排水トラップ２７内の水の有無は下側のＬＥＤ７ｆの点灯および消灯によって報知され、排水トラップ２７内の異常は操作パネル７の下側のＬＥＤ７ｆの点滅によって報知されるとともに図略のブザーによって警報されるようになっている。
【００４３】
前記裏面パネル１１は、図８に示すように、横長長方形状の樹脂板１１Ｂと、この樹脂板１１Ｂの周囲を縁取る横長長方枠形状の枠体１１Ａとで構成されている。そして、枠体１１Ａが前記収納棚２の裏面、すなわち前記上部フレーム２Ａと下部フレーム２Ｂと左側部フレーム２Ｃと右側部フレーム２Ｄとの後面に固定されるようになっている。
【００４４】
前記樹脂板１１Ｂは、ダイニング・リビング側の光で収納棚２内が明るくなるように透光性を有している。
【００４５】
前記枠体１１Ａは、図１０（ｂ）に示すように、前後方向に扁平な略長方形筒状の部分の短辺側の一方に前後一対の対向壁１１ｄが連設されたフレームが組合わされて長方形枠状に構成されており、対向壁１１ｄによって樹脂板１１Ｂの周囲を前後から挟み込むことが可能になっている。そして、ダイニング側の対向壁１１ｄはキッチン側の対向壁１１ｄよりも内側に延在しており、このダイニング側の対向壁１１ｄの内面に樹脂板１１Ｂが固定されている。
【００４６】
また、枠体１１Ａの左側部と右側部と下部とには、図略の固定ネジが挿通可能な貫通孔１１ｃがそれぞれ２箇所に設けられている一方、前記左側部フレーム２Ｃと右側部フレーム２Ｄと下部フレーム２Ｂとの後面には、貫通孔１１ｃに対応する位置にネジ孔２ｄが形成されている。
【００４７】
さらには、前記上部フレーム２Ａの後面には、左右方向の略中央に係止部９が設けられている一方、枠体１１Ａの上部には、係止部９に下方から嵌り込み可能な形状の係止溝１１ａが左右方向の略中央に設けられており、枠体１１Ａの上部が下方から抜き差し可能に係止部９に係止されるようになっている。
【００４８】
具体的には、前記係止部９は、図９に示すように、一枚の横長長方形板状の金属片が中央部９ａが前方に張り出して両端部９ｂとの間に所定の段差Ｌ１を形成するように折り曲げ形成されて平面視で略Ω字状とされた金具によって構成されている。この金具の中央部９ａは、固定ネジ９５によって上部フレーム２Ａの後面に固定されている。そのため、前記段差Ｌ１は、そのまま係止部９の両端部９ｂと上部フレーム２Ａの後面との間の隙間となっている。この段差Ｌ１は、上記枠体１１Ａを構成するフレームの前壁の肉厚ｔ１（図１０（ｂ）参照）よりも僅かに大きく設定されている。
【００４９】
このような係止部９は、金属板をプレス加工することにより簡単に成形することができる。なお、係止部９は、金属製の金具で構成されている必要はなく、例えば合成樹脂等でモールド成形された樹脂ブロックで構成されていてもよい。また、係止部９は、平面視で略Ω字状になっている必要はなく、収納棚２の裏面から後方に延在してさらに左右の両端部９ｂが外側に広がる形状に形成されていればよく、例えば平面視で略Ｔ字状であってもよい。
【００５０】
一方、前記係止溝１１ａは、図１０（ａ）に示すように、枠体１１Ａの前側上部のコーナー部が所定幅で切り取られるとともに、枠体１１Ａの前面がその切り取られた部分から左右に脇部１１ｂを残してさらに下方に切り込まれることにより形成されている。具体的には、枠体１１Ａの前側上部のコーナー部は、フレームの内部空間が係止部９の長さＬ２と端部９ｂの厚みｔ２とで形成される面積よりも大きな面積で上方に開口するように切り取られ、枠体１１Ａの前面は、係止部９の中央部９ａの幅Ｌ３よりも大きな幅で下方に切り込まれている。これにより、図１１に示すように、係止溝１１ａは、下方から係止部９に嵌り込み可能となっていて、係止部９が係止溝１１ａに嵌り込んだ状態では、枠体１１Ａの前面が切り込まれた部分の両脇部１１ｂが上部フレーム２Ａと係止部９の端部９ｂとで挟み込まれて係止され、前後方向の移動が規制されるようになっている。
【００５１】
さらには、裏面パネル１１の下側には、当該裏面パネル１１が載置可能な載置部２ｃが下部フレーム２Ｂに設けられている。この載置部２ｃは、図１２に示すように、上下方向に扁平な断面形状で、下部フレーム２Ｂと同程度の長さで左右方向に延在しており、裏面パネル１１の下部が略全長に亘って載置可能となっている。
【００５２】
このような裏面パネル１１を収納棚２の裏面に取付けるには、点検用扉１４Ｅを開いた状態で、図１３（ａ）中に矢印ａで示すように、裏面パネル１１の上部をダイニング側のフレーム１４Ｆの下側から挿入する。このとき、裏面パネル１１の上部を左側部フレーム２Ｃと右側部フレーム２Ｄとに当接させた状態で上方に摺動させれば、係止部９が係止溝１１ａに上方から嵌め込まれる。
【００５３】
次いで、図１３（ｂ）に示すように、裏面パネル１１の下部を載置部２ｃに載置する。
【００５４】
最後に、裏面パネル１１の位置を調整しながら固定ネジを貫通孔１１ｃからネジ孔２ｄに締め込むことにより、裏面パネル１１がフレーム２Ａ〜２Ｄの後面に固定されて裏面パネル１１が収納棚２の裏面に取付けられる。
【００５５】
逆に、裏面パネル１１を取外すには、上記作業と反対の作業を行えばよい。
【００５６】
前記のようなフロアキャビネット１であれば、フロアキャビネット１のカウンターに形成した昇降用開口５内に設置した収納棚２を、不使用時にはカウンター下の収納空間１４に下降させるとともに、使用時にはカウンター上に上昇させるようにしたから、キッチンとダイニングとの間に壁面が無いオープン型の対面キッチンに好適であって、収納棚２をカウンター上に上昇させれば、屈まずに収納棚２から収納物を出し入れできるようになる。
【００５７】
また、収納棚２は、カウンター上に上昇させるだけであるから、収納棚２のいずれの段にある食器等の収納物でも出し入れしやすくなるとともに、収納棚２をカウンター下の収納空間１４に下降させれば、カウンター上面を広く使えるようになるとともに、カウンター上での別の作業の邪魔にならなくなる。
【００５８】
一方、収納棚２の裏面に裏面パネル１１の上部を下方からの抜き差しが可能となるように係止する係止部９を設けたから、裏面パネル１１の上部をネジ止めしなくても裏面パネル１１のがたつきを防ぐことができる。
【００５９】
そして、収納棚２が下降位置Ｄにあり、裏面パネル１１の上部がダイニング側のフレーム１４Ｆと重なり合っていたとしても、裏面パネル１１の下部および左右の側部の固定ネジを外して、裏面パネル１１を下方に引き抜くだけで係止部９と係止溝１１ａとの係止状態を解除して裏面パネル１１を収納棚２から取外すことができ、収納棚２が下降位置Ｄにあっても簡単に裏面パネル１１を取外すことができる。
【００６０】
このように裏面パネル１１を取外すことにより、例えば停電等で収納棚２を上昇させることができなくなったとしても、収納棚２内に収納した食器等を取出すことができるようになる。
【００６１】
また、収納棚２には載置部２ｃが設けられているので、固定ネジを外しても裏面パネル１１は載置部２ｃで載置されるため、裏面パネル１１を脱落させることなく裏面パネル１１の着脱作業を行うことができる。
【００６２】
なお、前記実施形態では、平面視で略Ω字状の係止部９を収納棚２の裏面に取付けた形態を示したが、係止部９を天板カウンター４の下面から垂れ下がる垂壁で構成したり、あるいは上部フレーム２Ａの後面に逆Ｌ字状のブラケットを取付けることによりこのブラケットで構成したりして、垂壁またはブラケットと上部フレーム２Ａの後面とで形成される溝部に裏面パネル１１の上部を嵌め込むようにすることで、裏面パネル１１の上部を下方から抜き差し可能に係止することも可能である。ただし、このようにすると、係止部が裏面パネル１１の後方まで張り出すようになるので、前記実施形態のように係止部９を収納棚２の裏面から後方に延在してさらに左右の両端部９ｂが外側に広がる形状に形成するとともに、裏面パネル１１の上部に下方から係止部９に嵌り込み可能な形状の係止溝１１ａを形成すれば、省スペースで裏面パネル１１の上部を下方に抜き差し可能とすることができる。
【００６３】
また、載置部２ｃは、下部フレーム２Ｂの略全長に亘って設けられている必要はなく、例えば下部フレーム２Ｂの両端部に点在するように設けられていてもよい。
【００６４】
さらには、載置部２ｃは、裏面パネル１１の下部に当接する位置に設けられていることが好ましいが、載置部２ｃには裏面パネル１１を着脱する際に当該裏面パネル１１を仮置きできればよく、裏面パネル１１の下方に離間した位置に設けられていてもよい。
【００６５】
また、前記実施形態では、フロアキャビネット１の昇降式収納装置として、収納棚２の１つである水切り棚を例にとったが、これに限られるものではなく、食器乾燥器または食器洗い乾燥器であってもよい。
【図面の簡単な説明】
【００６６】
【図１】本発明の実施形態を示すキッチン用フロアキャビネットであり、収納棚が下降位置の斜視図である。
【図２】本発明の実施形態を示すキッチン用フロアキャビネットであり、収納棚が上昇位置の斜視図である。
【図３】操作パネルの正面図である。
【図４】昇降式収納装置をダイニング・リビング側から見た斜視図である。
【図５】昇降式収納装置をダイニング・リビング側から見た正面図である。
【図６】（ａ）は収納棚を省略した昇降式収納装置の平面図、（ｂ）は昇降式収納装置の要部断面側面図である。
【図７】（ａ）は天板カウンターを省略した収納棚の斜視図、（ｂ）はガイドレールとブラケットの斜視図である。
【図８】天板カウンターを省略した収納棚の分解斜視図である。
【図９】図８の要部拡大図である。
【図１０】（ａ）は裏面パネルを前方から見たときの要部拡大図、（ｂ）は（ａ）のＡ−Ａ線断面図である。
【図１１】裏面パネルの係止溝が係止部に係止された状態を示す要部拡大図である。
【図１２】（ａ）は収納棚を下方から見たときの斜視図、（ｂ）は（ａ）のＢ部拡大図である。
【図１３】（ａ）は裏面パネルを取付ける前の状態の断面側面図、（ｂ）は裏面パネルを取付けた後の状態の断面側面図である。
【符号の説明】
【００６７】
１      キッチン用フロアキャビネット
１ａ    カウンター
１１    裏面パネル
１１Ａ  枠体
１１Ｂ  樹脂板
１１ａ  係止溝
１４    収納空間
２      収納棚
２Ａ    上部フレーム
２Ｂ    下部フレーム
２Ｃ    左側部フレーム
２Ｄ    右側部フレーム
２ｃ    載置部
４      天板カウンター
５      昇降用開口
６      昇降機構
７      操作パネル
９      係止部
【図１】
2006296602.tif 000003
【図２】
2006296602.tif 000004
【図３】
2006296602.tif 000005
【図４】
2006296602.tif 000006
【図５】
2006296602.tif 000007
【図６】
2006296602.tif 000008
【図７】
2006296602.tif 000009
【図８】
2006296602.tif 000010
【図９】
2006296602.tif 000011
【図１０】
2006296602.tif 000012
【図１１】
2006296602.tif 000013
【図１２】
2006296602.tif 000014
【図１３】
2006296602.tif 000015